(57)【要約】【課題】圏外エリアの特定を、通信の行われる可能性の比較的高いエリアにおいて行うための携帯端末と圏外エリアの特定方法とを提供すること。【解決手段】圏外判定部２は携帯端末１の所定の動作中に携帯端末１が通信圏外であるか否かを判定し、測位部６は携帯端末１が通信圏外であると圏外判定部２により判定された場合に携帯端末１の位置を測位し、動作内容記録部８は携帯端末１が通信圏外であると圏外判定部２により判定された場合に携帯端末１の動作内容をメモリに記録し、携帯端末１が通信圏内であるか否かを判定し、圏外情報作成部１２は携帯端末１が通信圏内であると圏内判定部１０により判定された場合に動作内容と測位部６により測位された携帯端末１の位置とを含む圏外情報を作成し、送信部１６は圏外情報作成部１２により作成された圏外情報を携帯端末１の管理サーバに送信する。【選択図】図３
2008252241.tif 000002
【特許請求の範囲】
【請求項１】
無線通信を行う携帯端末であって、
当該携帯端末の所定の動作中に当該携帯端末が通信圏外であるか否かを判定する圏外判定手段と、
当該携帯端末が通信圏外であると前記圏外判定手段により判定された場合に、当該携帯端末の位置を測位する測位手段と、
当該携帯端末が通信圏外であると前記圏外判定手段により判定された場合に、当該携帯端末の動作内容をメモリに記録する動作内容記録手段と、
前記動作内容記録手段が前記動作内容を前記メモリに記録した後、当該携帯端末が通信圏内であるか否かを判定する圏内判定手段と、
当該携帯端末が通信圏内であると前記圏内判定手段により判定された場合に、前記動作内容と前記測位手段により測位された当該携帯端末の位置とを含む圏外情報を作成する圏外情報作成手段と、
前記圏外情報作成手段により作成された前記圏外情報を当該携帯端末の管理サーバに送信する送信手段と
を備える、ことを特徴とする携帯端末。
【請求項２】
前記圏外判定手段は、
当該携帯端末が通信圏外であるか否かの判定をアプリケーションの起動中に行う、ことを特徴とする請求項１に記載の携帯端末。
【請求項３】
前記圏外情報に対する修正指示が入力されると、該修正指示に応じて圏外情報を修正する圏外情報修正手段を更に備える、ことを特徴とする請求項１又は２に記載の携帯端末。
【請求項４】
携帯端末の圏外エリアの特定方法であって、
前記携帯端末の所定の動作中に該携帯端末が通信圏外であるか否かを判定する圏外判定ステップと、
前記携帯端末が通信圏外であると前記圏外判定ステップにおいて判定された場合に、該携帯端末の位置を測位する測位ステップと、
前記携帯端末が通信圏外であると前記圏外判定ステップにおいて判定された場合に、該携帯端末の動作内容をメモリに記録する動作内容記録ステップと、
前記動作内容記録ステップにおける前記動作内容の記録後に前記携帯端末が通信圏内であるか否かを判定する圏内判定ステップと、
前記携帯端末が通信圏内であると前記圏内判定ステップにおいて判定された場合に、前記動作内容と前記測位手段により測位された該携帯端末の位置とを含む圏外情報を作成する圏外情報作成ステップと、
前記圏外情報作成ステップにおいて作成された前記圏外情報を前記携帯端末の管理サーバに送信する送信ステップと
を有する、ことを特徴とする圏外エリアの特定方法。
【発明の詳細な説明】
【技術分野】
【０００１】
本発明は、携帯端末及び圏外エリアの特定方法に関する。
【背景技術】
【０００２】
近時、携帯端末を用いて圏外エリアを特定する技術が開発されている。特許文献１には、携帯端末が通信圏外となった場合にこの圏外エリア内の位置データを携帯端末が取得し、そして、携帯端末が圏内エリアに移動した際に、圏外エリア内の位置データが携帯電話事業者のセンター装置に通知される技術が開示されている。
【特許文献１】特開２００６−１２１３１９号公報
【発明の開示】
【発明が解決しようとする課題】
【０００３】
通信圏外が検出されるエリアは、携帯端末を用いて通信を行う可能性の比較的低いエリアも含まれる。例えば、電波による影響を受けやすい精密機械の近くや、コンサートホール等は、携帯端末を用いて通信を行う可能性の比較的低いエリアとして挙げることができる。このようなエリア内においては、携帯端末が操作されないか、又は、電源が切られる。このような通信を行う可能性の比較的低いエリアも圏外エリアとして特定するのは非効率的である。
【０００４】
そこで本発明の目的は、圏外エリアの特定を、通信の行われる可能性の比較的高いエリアにおいて行うための携帯端末と圏外エリアの特定方法とを提供することである。
【課題を解決するための手段】
【０００５】
本発明は、無線通信を行う携帯端末であって、当該携帯端末の所定の動作中に当該携帯端末が通信圏外であるか否かを判定する圏外判定手段と、当該携帯端末が通信圏外であると上記圏外判定手段により判定された場合に、当該携帯端末の位置を測位する測位手段と、当該携帯端末が通信圏外であると上記圏外判定手段により判定された場合に、当該携帯端末の動作内容をメモリに記録する動作内容記録手段と、上記動作内容記録手段が上記動作内容を上記メモリに記録した後、当該携帯端末が通信圏内であるか否かを判定する圏内判定手段と、当該携帯端末が通信圏内であると上記圏内判定手段により判定された場合に、上記動作内容と上記測位手段により測位された当該携帯端末の位置とを含む圏外情報を作成する圏外情報作成手段と、上記圏外情報作成手段により作成された上記圏外情報を当該携帯端末の管理サーバに送信する送信手段とを備える、ことを特徴とする。
【０００６】
また、本発明は、携帯端末の圏外エリアの特定方法であって、上記携帯端末の所定の動作中にこの携帯端末が通信圏外であるか否かを判定する圏外判定ステップと、上記携帯端末が通信圏外であると上記圏外判定ステップにおいて判定された場合に、この携帯端末の位置を測位する測位ステップと、上記携帯端末が通信圏外であると上記圏外判定ステップにおいて判定された場合に、この携帯端末の動作内容をメモリに記録する動作内容記録ステップと、上記動作内容記録ステップにおける上記動作内容の記録後に上記携帯端末が通信圏内であるか否かを判定する圏内判定ステップと、上記携帯端末が通信圏内であると上記圏内判定ステップにおいて判定された場合に、上記動作内容と上記測位手段により測位されたこの携帯端末の位置とを含む圏外情報を作成する圏外情報作成ステップと、上記圏外情報作成ステップにおいて作成された上記圏外情報を上記携帯端末の管理サーバに送信する送信ステップとを有する、ことを特徴とする。
【０００７】
このように、本発明によれば、携帯端末が所定の動作を行っている場合に、携帯端末が通信圏外にあるか否かが判定される。従って、このような携帯端末の動作として、通信を行う可能性の比較的高い動作が設定されれば、通信を行う可能性の比較的高いエリアの中で圏外エリアが特定できる。
【０００８】
本発明では、上記圏外判定手段は、当該携帯端末が通信圏外であるか否かの判定をアプリケーションの起動中に行うのが好ましい。携帯端末は、アプリケーションの起動中にユーザによって操作される場合が多く、アプリケーションの起動中又はその前後で通信の行われる可能性が比較的高い。このため、アプリケーションの起動中に携帯端末が通信圏外であるか否かが判定されれば、通信を行う可能性の比較的高いエリアの中で圏外エリアが特定できる。
【０００９】
本発明では、上記圏外情報に対する修正指示が入力されると、この修正指示に応じて圏外情報を修正する圏外情報修正手段を更に備えるのが好ましい。このように、測位手段により一旦測位された携帯端末の位置が圏外情報修正手段により修正可能となる。このため、携帯端末の管理サーバには、携帯端末の比較的正確な位置が通知される。
【発明の効果】
【００１０】
本発明によれば、圏外エリアの特定を、通信の行われる可能性の比較的高いエリアにおいて行うための携帯端末と圏外エリアの特定方法とが提供できる。
【発明を実施するための最良の形態】
【００１１】
以下、図面を参照して、本発明に係る好適な実施形態について詳細に説明する。なお、図面の説明において、可能な場合には、同一要素には同一符号を付し、重複する説明を省略する。
【００１２】
図１は、実施形態に係る携帯端末１の構成を示す図である。携帯端末１は、無線通信が行える携帯電話等である。携帯端末１は、物理的には、ＣＰＵ１ａ、ＲＡＭ１ｂ、ＲＯＭ１ｃ、入力装置１ｄ、出力装置１ｅ、通信装置１ｆ、記録装置１ｇ及び測位装置１ｈを有しており、これらはバス１ｉに接続されている。ＣＰＵ１ａは、ＲＯＭ１ｃ等の内蔵メモリに格納された所定のコンピュータソフトウェアをＲＡＭ１ｂにロードして実行することにより、携帯端末１を統括的に制御する。
【００１３】
入力装置１ｄは、データ入力用デバイスであり、入力されたデータをＣＰＵ１ａに出力する。入力装置１ｄは、出力装置１ｅのＬＣＤ等の画面に表示されたカーソルキーを操作するためのカーソル操作キーや、カーソルにより指定された箇所の入力を行うための入力キー等を有する。出力装置１ｅは、ＬＣＤ等の表示装置であり、ＣＰＵ１ａから入力されたデータをＬＣＤ等に表示する。通信装置１ｆは、基地局等と通信を行うためのインターフェイスを有する。記録装置１ｇは、ＣＰＵ１ａの実行可能なコンピュータソフトウェアを格納する。記録装置１ｇは、携帯端末１の動作内容を示す情報を格納する。
【００１４】
ここでいう動作とは、通信圏外時に携帯端末１が行っていた動作である。例えば、アプリケーション（データのダウンロードを伴うアプリケーション、ＧＰＳの位置情報を用いるアプリケーション、電子メールを利用するためのアプリケーション等）の実行や、携帯端末１がテレビ放送やラジオ放送の受信機能を有する場合のテレビ放送やラジオ放送の受信等である。いずれの動作も、ユーザによる入力装置１ｄからの操作入力に応じて行われる携帯端末１の動作である。なお、通信圏外時であるか否かの判断は、後述の圏外判定部２が行う。
【００１５】
測位装置１ｈは、ＧＰＳの位置情報を受信し、この受信した位置情報に基づいて携帯端末１の現在位置を測位する。
【００１６】
図２を参照して携帯端末１の構成の説明を続ける。携帯端末１のＣＰＵ１ａは、図２に示す複数の機能を実現する。すなわち、携帯端末１は、機能的には、圏外判定部２、動作内容検出部４、測位部６、動作内容記録部８、圏内判定部１０、圏外情報作成部１２、圏外情報修正部１４及び送信部１６を有する。圏外判定部２〜送信部１６は、ＣＰＵ１ａがコンピュータソフトウェアを実行し、図１に示す携帯端末１の各構成部を動作させることにより実現される機能である。特に、ＣＰＵ１ａは、圏外判定部２〜送信部１６を用いて、図３に示す処理を実行する。
【００１７】
圏外判定部２は、携帯端末１の動作中に携帯端末１が通信圏外であるか否かを判定する。圏外判定部２は、携帯端末１の動作中に携帯端末１が通信圏外であると判定すると、この判定結果と判定時刻とを記録装置１ｇに記録する。なお、圏外判定部２は、携帯端末１の起動終了に応じて、携帯端末１が通信圏外であるか否かを判定してもよい。
【００１８】
動作内容検出部４は、携帯端末１が通信圏外であると圏外判定部２により判定された場合に、携帯端末１の行っている動作内容を検出する。動作内容検出部４は、例えば、携帯端末１が、上記のアプリケーションを実行中であるか、テレビ放送やラジオ放送を受信中であるか等を示す情報を、携帯端末１の動作内容として検出する。動作内容検出部４は、携帯端末１がテレビ放送やラジオ放送を受信中の場合には、テレビ電波やラジオ電波の電波強度等の状況も動作内容として検出し、ＧＰＳの位置情報を受信中の場合には、ＧＰＳ電波の電波強度等の状況やＧＰＳの位置情報の受信時刻も動作内容として検出する。
【００１９】
測位部６は、携帯端末１が通信圏外であると圏外判定部２により判定された場合に、測位装置１ｈを用いて、ＧＰＳの位置情報を受信し、そして、この位置情報に基づいて携帯端末１の現在位置を測位（計算）する。測位部６は、ＧＰＳの位置情報の受信時刻を計時し、この計時結果を記録装置１ｇに記録する。
【００２０】
動作内容記録部８は、携帯端末１が通信圏外であると圏外判定部２により判定された場合に、動作内容検出部４により検出された携帯端末１の動作内容を記録装置１ｇに記録する。
【００２１】
圏内判定部１０は、動作内容記録部８による携帯端末１の動作内容の記録後に携帯端末１が通信圏内であるか否かを判定する。圏外情報作成部１２は、動作内容記録部８による携帯端末１の動作内容の記録後に携帯端末１が通信圏内にあると圏内判定部１０により判定された場合、この記録された動作内容と測位部６により測位された携帯端末１の位置とを含む圏外情報を作成する。この圏外情報は、圏外判定部２により通信圏外と判定された判定時刻とＧＰＳの位置情報の受信時刻とを含む。
【００２２】
また、この圏外情報は、携帯端末１の通信を管理している通信業者の管理サーバに送信される情報であり、通信業者により提供されるＷｅｂページを用いて通信業者に提供（送信）されてもよいし、通信業者により予め指定された形式の電子メールを用いて通信業者に提供（送信）されてもよい。圏外情報作成部１２は、圏外情報が通信業者により提供されるＷｅｂページを用いて送信される場合には、Ｗｅｂページ用の圏外情報を作成し、圏外情報が通信業者により予め指定された形式の電子メールを用いて送信される場合には、圏外情報をこの形式の電子メールとして作成する。なお、Ｗｅｂページ又は電子メールの何れを用いるかは、予め設定されていても良いし、ユーザにより指定されてもよい。
【００２３】
圏外情報修正部１４は、圏外情報作成部１２により作成された圏外情報に対する修正指示が入力装置１ｄを介してユーザにより入力されると、この修正指示に応じて圏外情報を修正する。圏外情報修正部１４は、圏外情報作成部１２により作成された圏外情報のうち測位部６により測位された携帯端末１の位置を出力装置１ｅのＬＣＤ等を用いて地図上に表示しつつ、入力装置１ｄを介してユーザから成されるこの位置に対する修正指示の入力を待つ。圏外情報修正部１４は、測位部６により測位された携帯端末１の位置に対する修正指示が入力装置１ｄを介してユーザから入力されると、この修正指示に応じて携帯端末１の位置を修正（再計算）し、この携帯端末１の位置の修正に基づいて圏外情報を修正（更新）する。
【００２４】
ユーザは、出力装置１ｅのＬＣＤ等に表示された地図上において、所望の場所や建物を入力装置１ｄを介して指定（入力装置１ｄのカーソル操作キーと入力キーとを操作）することにより、修正指示を行う。また、圏外情報修正部１４は、具体的な建物の名称や階数等のコメント文の入力をユーザに促してもよい。圏外情報修正部１４は、入力されたコメント文を圏外情報に含ませる。送信部１６は、圏外情報作成部１２により作成された圏外情報又は圏外情報修正部１４により修正された圏外情報を、通信業者の管理サーバに送信する。
【００２５】
次に、図３を参照して、携帯端末１の動作を説明する。携帯端末１は、図３（Ａ）のフローチャートの処理を行った後、図３（Ｂ）のフローチャートの処理を行う。まず、図３（Ａ）のフローチャートの処理を説明する。
【００２６】
圏外判定部２は、携帯端末１の動作中に通信圏外か否かを判定し、携帯端末１の動作中に携帯端末１が通信圏外であると判定すると、この判定結果と判定時刻とを記録装置１ｇに記録する（ステップＳ１）。ステップＳ１において、動作内容検出部４は、携帯端末１が通信圏外であると圏外判定部２により判定された場合に、携帯端末１の行っている動作内容を検出する。
【００２７】
ステップＳ１の後、測位部６は、携帯端末１が通信圏外であると圏外判定部２により判定された場合に、測位装置１ｈを用いて、ＧＰＳの位置情報を受信し、そして、この位置情報に基づいて携帯端末１の現在位置を測位（計算）する（ステップＳ２）。このステップＳ２において、測位部６は、ＧＰＳの位置情報の受信時刻を計時し、この計時結果を記録装置１ｇに記録する。
【００２８】
ステップＳ２の後、動作内容記録部８は、携帯端末１が通信圏外であると圏外判定部２により判定された場合に、動作内容検出部４により検出された携帯端末１の動作内容を記録装置１ｇに記録する（ステップＳ３）。
【００２９】
次に、図３（Ｂ）のフローチャートの処理を説明する。圏内判定部１０は、動作内容記録部８による携帯端末１の動作内容の記録後に携帯端末１が通信圏内であるか否かを判定する（ステップＳ４）。ステップＳ４の後、圏外情報作成部１２は、動作内容記録部８による携帯端末１の動作内容の記録後に携帯端末１が通信圏内にあると圏内判定部１０により判定された場合、この記録された動作内容と測位部６により測位された携帯端末１の位置とを含む圏外情報を作成する（ステップＳ５）。
【００３０】
ステップＳ５の後、圏外情報修正部１４は、圏外情報作成部１２により作成された圏外情報に対する修正指示が入力装置１ｄを介して入力されたか否かを判定する（ステップＳ６）。修正指示が入力されない（修正を行わない旨の指示入力が入力装置１ｄを介して行われるか、又は、修正指示の入力待ちのタイマがアップする）と（ステップＳ６；Ｎｏ）、ステップＳ８に移行し、修正指示が入力されると（ステップＳ６；Ｙｅｓ）、この修正指示に応じて圏外情報を修正する（ステップＳ７）。
【００３１】
そして、ステップＳ７の後、送信部１６は、圏外情報作成部１２により作成された圏外情報又は圏外情報修正部１４により修正された圏外情報を、通信業者の管理サーバに送信する（ステップＳ８）。
【００３２】
次に、実施形態に係る携帯端末１の作用・効果を説明する。携帯端末１は、無線通信を行い、圏外判定部２、測位部６、動作内容記録部８、圏内判定部１０、圏外情報作成部１２及び送信部１６を備える。圏外判定部２は、携帯端末１の所定の動作中に携帯端末１が通信圏外であるか否かを判定する。測位部６は、携帯端末１が通信圏外であると圏外判定部２により判定された場合に、携帯端末１の位置を測位する。動作内容記録部８は、携帯端末１が通信圏外であると圏外判定部２により判定された場合に、携帯端末１の動作内容をメモリに記録する。圏内判定部１０は、動作内容記録部８が上記動作内容を上記メモリに記録した後、携帯端末１が通信圏内であるか否かを判定する。圏外情報作成部１２は、携帯端末１が通信圏内であると圏内判定部１０により判定された場合に、上記動作内容と測位部６により測位された携帯端末１の位置とを含む圏外情報を作成する。送信部１６は、圏外情報作成部１２により作成された上記圏外情報を携帯端末１の管理サーバに送信する。
【００３３】
このように、携帯端末１が所定の動作を行っている場合に、携帯端末１が通信圏外にあるか否かが判定される。従って、このような携帯端末１の動作として、通信を行う可能性の比較的高い動作が設定されれば、通信を行う可能性の比較的高いエリアの中で圏外エリアが特定できる。
【００３４】
また、圏外判定部２は、携帯端末１が通信圏外であるか否かの判定をアプリケーションの起動中に行うのが好ましい。携帯端末１は、アプリケーションの起動中にユーザによって操作される場合が多く、アプリケーションの起動中又はその前後で通信の行われる可能性が比較的高い。このため、アプリケーションの起動中に携帯端末１が通信圏外であるか否かが判定されれば、通信を行う可能性の比較的高いエリアの中で圏外エリアが特定できる。
【００３５】
また、携帯端末１は、圏外情報修正部１４を更に備えるのが好ましい。圏外情報修正部１４は、上記圏外情報に対する修正指示が入力されると、この修正指示に応じて圏外情報を修正する。このように、測位手段により一旦測位された携帯端末１の位置が圏外情報修正部１４により修正可能となる。このため、携帯端末１の管理サーバには、携帯端末１の比較的正確な位置が通知される。
【図面の簡単な説明】
【００３６】
【図１】実施形態に係る携帯端末の構成を示す図である。
【図２】実施形態に係る携帯端末の構成を示す図である。
【図３】実施形態に係る携帯端末の動作を説明するためのフローチャートである。
【符号の説明】
【００３７】
１…携帯端末、１ａ…ＣＰＵ、１ｂ…ＲＡＭ、１ｃ…ＲＯＭ、１ｄ…入力装置、１ｅ…出力装置、１ｆ…通信装置、１ｇ…記録装置、１ｈ…測位装置、１ｉ…バス、１０…圏内判定部、１２…圏外情報作成部、１４…圏外情報修正部、１６…送信部、２…圏外判定部、４…動作内容検出部、６…測位部、８…動作内容記録部。
【図１】
2008252241.tif 000003
【図２】
2008252241.tif 000004
【図３】
2008252241.tif 000005